【事件の表示】
　特許第２９５５３９８号「離型紙剥離装置及び離型紙剥離方法」の請求項１、２に係る特許に対する特許異議の申立てについて、次のとおり決定する。
【結　論】
　訂正を認める。
　特許第２９５５３９８号の請求項１ないし２に係る特許を取り消す。
【理　由】
Ｉ．手続きの経緯
　本件特許第２９５５３９８号の請求項１、２に係る発明の出願は、平成３年６月２５日に特許出願され、平成１１年７月１６日に設定登録され、その後、平成１２年４月３日に高松万里（以下、申立人という。）から特許異議の申立がなされ、取消理由通知に対し、その指定期間内である平成１２年１０月１０日付けで訂正請求がなされたものである。
ＩＩ．訂正請求について
ＩＩ−１．訂正事項
（１）特許請求の範囲の記載を、
「【請求項１】互いに並行して形成された複数の端子に仮圧着された異方性導電膜に貼着された離型紙を剥離する離型紙剥離装置において、上記異方性導電膜に沿って移動可能に設けられると共に上記離型紙に粘着される粘着テープを押圧して上記離型紙に粘着させる押圧ローラと、上記押圧ローラを上記粘着テープを上記離型紙側に加圧しつつ移動させその移動方向の後ろ側から上記離型紙を順次上記異方性導電膜と離間する方向に剥離する剥離手段とを有することを特徴とする離型紙剥離装置。
【請求項２】互いに並行して形成された複数の端子に仮圧着された異方性導電膜に貼着された離型紙を剥離する離型紙剥離装置において、上記異方性導電膜に貼着された離型紙に粘着される粘着テープを所定長さ供給する工程と、供給された粘着テープを上記異方性導電膜に沿って移動する押圧ローラにより上記離型紙に粘着する工程と、上記押圧ローラを上記粘着テープを上記離型紙側に加圧しつつ移動させその移動により粘着された上記粘着テープを上記押圧ローラの移動方向の後ろ側から順次上記異方性導電膜と離間する方向に剥離する剥離工程とを有することを特徴とする離型紙剥離方法。」
と訂正する。
（２）特許明細書の段落番号【００１０】の記載を、
「【課題を解決するための手段】
　第１に、互いに並行して形成された複数の端子に仮圧着された異方性導電膜に貼着された離型紙を別離する灘型紙別離装置において、上記異方性導電膜に沿って移動可能に設けられると共に上記離型紙に粘着される粘着テープを押圧して上記離型紙に粘着させる押圧ローラと、上記押圧ローラを上記粘着テープを上記離型紙側に加圧しつつ移動させその移動方向の後ろ側から上記離型紙を順次上記異方性導電膜と離間する方向に剥離する剥離手段とを有することを特徴とする離型紙剥離装置である。第２に、互いに並行して形成された複数の端子に仮圧着された異方性導電膜に貼着された離型紙を剥離する離型紙剥離装置において、上記異方性導電膜に貼着された離型紙に粘着される粘着テープを所定長さ供給する工程と、供給された粘着テープを上記異方性導電膜に沿って移動する押圧ローラにより上記離型紙に粘着する工程と、上記押圧ローラを上記粘着テープを上記離型紙側に加圧しつつ移動させその移動により粘着された上記粘着テープを上記押圧ローラの移動方向の後ろ側から順次上記異方性導電膜と離間する方向に剥離する剥離工程とを有することを特徴とする離型紙剥離方法である。」
と訂正する。
ＩＩ−２．訂正の適否            
　訂正事項（１）は、請求項１の「上記押圧ローラの移動方向の後ろ側から上記離型紙に粘着された粘着テープを上記異方性導電膜と離間する方向に剥離する」という表現を、特許査定時の明細書（以下、特許明細書という。）の段落番号【００２９】、【００３０】、【００３７】の記載に基づき、「上記押圧ローラを上記粘着テープを上記離型紙側に加圧しつつ移動させその移動方向の後ろ側から上記離型紙を順次上記異方性導電膜と離間する方向に剥離する」という表現に訂正し、請求項２の「上記押圧ローラの移動により粘着された上記粘着テープを上記押圧ローラの移動方向の後ろ側から上記異方性導電膜と離間する方向に剥離する」という表現を、特許査定時の明細書（以下、特許明細書という。）の段落番号【００２９】、【００３０】、【００３７】の記載に基づき、「上記押圧ローラを上記粘着テープを上記離型紙側に加圧しつつ移動させその移動により粘着された上記粘着テープを上記押圧ローラの移動方向の後ろ側から順次上記異方性導電膜と離間する方向に剥離する」という表現に訂正するものであり、ともに、請求項１および２に係る発明を、特許明細書に記載された範囲内で減縮するものであるから、訂正事項（１）は、特許請求の範囲の減縮に該当し、願書に添付した明細書又は図面に記載した事項の範囲内のものであり、実質上特許請求の範囲を拡張し又は変更するものでない。
　訂正事項（２）は、前記訂正事項（１）の訂正に整合させるべく発明の詳細な説明の記載を訂正するものであるから、明りょうでない記載の釈明に該当するものであり、訂正事項（１）と同様に、願書に添付した明細書又は図面に記載した事項の範囲内のものであり、実質上特許請求の範囲を拡張し又は変更するものでない。
　したがって、本件の上記の訂正は、特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、及び第２項の規定に適合し、適法なものと認める。
ＩＩＩ．取消理由の概要
　当審で通知した取消理由は、訂正前の請求項１および２に係る発明は、引用刊行物（特開平２−２９３７２１号公報、甲第１号証）に記載された発明であり、特許法第２９条第１項第３号に規定する発明に該当し、特許を受けることができないものであるから、訂正前の請求項１および２に係る特許は取り消されるべきものであるというものである。
ＩＶ．本件発明
　本件の請求項１および２に係る発明は、訂正前の請求項１および２に係る発明を、特許請求の範囲を減縮し、実質上も特許請求の範囲を拡張し又は変更することがないように訂正したものであり、その内容は、訂正された明細書および図面の記載からみて、その特許請求の範囲の請求項１および２に記載されたとおりのものである［上記ＩＩ−１の（１）参照］。
Ｖ．引用刊行物の記載：
　引用刊行物には、第３頁に第２図の記載があり、第１頁左下欄１９行〜第２頁左上欄第２行に「第２図は異方性導電膜を液晶パネルの端子部に張り付ける方法の各段階の構成を示している。（ａ）では、異方性導電膜１がセパレータ２との２層構造のテープ３が供給され、このテープ３の所定箇所をクランパ９によって固定した後、切断刃１０を上下動させてテープ３を所定寸法に切断する。（ｂ）では、切断したテープ３を液晶パネル５の端子部の上に異方性導電膜１を下にして置き、高温に加熱された貼り付け用ツール６を下降させてセパレータ２の上から異方性導電膜１を加熱しながら液晶パネル５に押し付ける。この結果、異方性導電膜１が液晶パネル５に接着される。（ｃ）では、セパレータ貼り付けローラ１１と粘着テープ１２をテープ３が接着された液晶パネル５の端子部の上に移動させる。（ｄ）では、セパレータ貼り付けローラ１１を下降させて粘着テープ１２をセパレータ２の端部に貼り付ける。（ｅ）では、貼り付けローラ１１を矢印方向へ移動させ、粘着テープ１２をセパレータ２の全面に貼り付ける。（ｆ）では、セパレータ剥離ローラ１３を粘着テープ１２の下面に当接させて矢印方向へ移動させると、粘着テープ１２に接着したセパレータ２が異方性導電膜１からはがれる。（ｇ）では、液晶パネル５への異方性導電膜１の接着が完了する。」との記載があることからみて、
　引用刊行物には、
　液晶パネル５の端子に押し付け接着された異方性導電膜１と２層構造をなすセパレータ２を剥離するセパレータ剥離装置において、上記異方性導電膜１に沿って移動可能に設けられると共に上記セパレータ２の全面に粘着テープ１２を貼り付けるセパレータ貼り付けローラと、該セパレータ貼り付けローラ１１を上記セパレータ２の全面に粘着テープ１２を貼り付けるべく移動させ、その移動方向の後ろ側から上記セパレータを順次上記異方性導電膜と離間する方向に剥離するセパレータ剥離ローラ１３とを有するセパレータ剥離装置の発明（以下、引用発明１という）、および、
　上記セパレータ剥離装置を用いてセパレータを剥離する方法において、上記異方性導電膜と２層構造をなすセパレータに貼り付ける粘着テープを供給する工程と、供給された粘着テープを上記異方性導電膜に沿って移動させセパレータ貼り付けローラにより上記セパレータに貼り付ける工程と、上記セパレータ貼り付けローラを上記粘着テープを上記セパレータに貼り付けるように移動させ貼り付けられた上記粘着テープを上記セパレータ貼り付けローラの移動方向の後ろ側から順次上記異方性導電膜と離間する方向に剥離する剥離工程とを有する剥離する方法の発明（以下、引用発明２という。）が記載されている。
ＶＩ．比較・検討：
　本件の請求項１に係る発明と引用発明１とを比較すると、後者の「端子に押し付け接着された異方性導電膜１と２層構造をなす」、「セパレータ２」、「セパレータ貼り付けローラ」および「セパレータ剥離ローラ１３」は、それぞれ、前者の「端子に仮圧着された異方性導電膜に貼着された」、「離型紙」、「押圧ローラ」および「剥離手段」に相当し、後者の「セパレータ２の全面に粘着テープ１２を貼り付ける」および「セパレータ貼り付けローラ１１を上記セパレータ２の全面に粘着テープ１２を貼り付けるべく移動させ」は、前者の「離型紙に粘着される粘着テープを押圧して上記離型紙に粘着させる」および「押圧ローラを上記粘着テープを上記離型紙側に加圧しつつ移動させ」に相当するから、
　両者は、下記Ａの点で共通し、下記Ｂの点で一応の相違を有する。
　Ａ．端子に仮圧着された異方性導電膜に貼着された離型紙を剥離する離型紙剥離装置において、上記異方性導電膜に沿って移動可能に設けられると共に上記離型紙に粘着される粘着テープを押圧して上記離型紙に粘着させる押圧ローラと、上記押圧ローラを上記粘着テープを上記離型紙側に加圧しつつ移動させその移動方向の後ろ側から上記離型紙を順次上記異方性導電膜と離間する方向に剥離する剥離手段とを有する離型紙剥離装置である点。
　Ｂ．前者が、端子を、互いに並行して形成された複数の端子であるとしているのに対し、後者は、その点について明示がない点。
　また、本件の請求項２に係る発明と引用発明２とを比較すると、後者の「異方性導電膜と２層構造をなすセパレータに貼り付ける粘着テープ」、「セパレータ貼り付けローラにより上記セパレータに貼り付ける工程」、「セパレータ貼り付けローラを上記粘着テープを上記セパレータに貼り付けるように移動させ貼り付けられた上記粘着テープ」および「上記粘着テープを上記セパレータ貼り付けローラの移動方向の後ろ側から順次上記異方性導電膜と離間する方向に剥離する」は、それぞれ、前者の「異方性導電膜に貼着された離型紙に粘着される粘着テープ」、「押圧ローラにより上記離型紙に粘着する工程」、「押圧ローラを上記粘着テープを上記離型紙側に加圧しつつ移動させその移動により粘着された上記粘着テープ」および「上記粘着テープを上記押圧ローラの移動方向の後ろ側から順次上記異方性導電膜と離間する方向に剥離する」に相当するから、
　両者は下記Ｃの点で共通し、下記Ｄ、Ｅの点で一応の相違を有する。
　Ｃ．端子に仮圧着された異方性導電膜に貼着された離型紙を剥離する離型紙剥離装置において、上記異方性導電膜に貼着された離型紙に粘着される粘着テープを供給する工程と、供給された粘着テープを上記異方性導電膜に沿って移動する押圧ローラにより上記離型紙に粘着する工程と、上記押圧ローラを上記粘着テープを上記離型紙側に加圧しつつ移動させその移動により粘着された上記粘着テープを上記押圧ローラの移動方向の後ろ側から順次上記異方性導電膜と離間する方向に剥離する剥離工程とを有する離型紙剥離方法である点。
　Ｄ．前者が、端子を、互いに並行して形成された複数の端子であるとしているのに対し、後者は、その点について明示がない点。
　Ｅ．前者が、粘着テープを供給する工程を、粘着テープを所定長さ供給する工程であるとしているのに対し、後者は、その点について明示がない点。
　そこで、前記ＢおよびＤ，Ｅの相違点について検討する。
　Ｂの相違点について：引用刊行物には、引用発明１における端子が液晶パネルの端子であると明示され、その端子の配置及び数を特定のものに限るとの記載もないから、該端子は引用刊行物が頒布された当時に液晶パネルにおいて周知の端子の配置及び数であると解されるところ、液晶パネルの端子を互いに並行して形成し複数とすることはその当時に周知であるから、Ｂの相違点が実質的なものであるとすることはできない。
　Ｄの相違点について：上記したＢの相違点についてと同様の理由により実質的な相違点であるとすることはできない。
　Ｅの相違点について：引用発明２においても、粘着テープを供給した後にその粘着テープを離型紙に粘着しその後順次異方性導電膜と離間する方向に移動して剥離するのであるから、引用発明２における粘着テープの供給においても、粘着テープを所定長さ供給することは自明なことであり、Ｅの相違点も実質的な相違点であるとすることはできない。
　したがって、本件の請求項１および２に係る発明は、それぞれ、引用発明１および２と実質的な差違がなく、その出願前に国内において頒布された上記引用刊行物に記載された発明であると認められ、特許法第２９条第１項第３号に規定する発明に該当し、特許を受けることができないものである。
（ＩＶ）むすび
　以上のとおりであるから、本件の請求項１および２に係る特許は、特許法第２９条の規定に違反してなされたものであり、同法第１１３条第２号に該当し、取り消されるべきものである。
　よって、結論のとおり決定する。
【異議決定日】
平成１３年１月１０日（２００１．１．１０）
【訂正の要旨】
訂正事項
（１）特許請求の範囲の記載を、
「【請求項１】互いに並行して形成された複数の端子に仮圧着された異方性導電膜に貼着された離型紙を剥離する離型紙剥離装置において、上記異方性導電膜に沿って移動可能に設けられると共に上記離型紙に粘着される粘着テープを押圧して上記離型紙に粘着させる押圧ローラと、上記押圧ローラを上記粘着テープを上記離型紙側に加圧しつつ移動させその移動方向の後ろ側から上記離型紙を順次上記異方性導電膜と離間する方向に剥離する剥離手段とを有することを特徴とする離型紙剥離装置。
　【請求項２】互いに並行して形成された複数の端子に仮圧着された異方性導電膜に貼着された離型紙を剥離する離型紙剥離装置において、上記異方性導電膜に貼着された離型紙に粘着される粘着テープを所定長さ供給する工程と、供給された粘着テープを上記異方性尊電膜に沿って移動する押圧ローラにより上記離型紙に粘着する工程と、上記押圧ローラを上記粘着テープを上記離型紙側に加圧しつつ移動させその移動により粘着された上記粘着テープを上記押圧ローラの移動方向の後ろ側から順次上記異方性導電膜と離間する方向に剥離する剥離工程とを有することを特徴とする離型紙剥離方法。」と訂正する。
（２）特許明細書の段落番号【００１０】の記載を、
「【課題を解決するための手段】
　第１に、互いに並行して形成された複数の端子に仮圧着された異方性導電膜に貼着された離型紙を剥離する離型紙剥離装置において、上記異方性導電膜に沿って移動可能に設けられると共に上記離型紙に粘着される粘着テープを押圧して上記離型紙に粘着させる押圧ローラと、上記押圧ローラを上記粘着テープを上記離型紙側に加圧しつつ移動させその移動方向の後ろ側から上記離型紙を順次上記異方性導電膜と離間する方向に剥離する剥離手段とを有することを特徴とする離型紙剥離装置である。第２に、互いに並行して形成された複数の端子に仮圧着された異方性導電膜に貼着された離型紙を剥離する離型紙剥離装置において、上記異方性導電膜に貼着された離型紙に粘着される粘着テープを所定長さ供給する工程と、供給された粘着テープを上記異方性尊電膜に沿って移動する押圧ローラにより上記離型紙に粘着する工程と、上記押圧ローラを上記粘着テープを上記離型紙側に加圧しつつ移動させその移動により粘着された上記粘着テープを上記押圧ローラの移動方向の後ろ側から順次上記異方性導電膜と離間する方向に剥離する剥離工程とを有することを特徴とする離型紙剥離方法である。」と訂正する。
（５４）【発明の名称】
離型紙剥離装置及び離型紙剥離方法
（５７）【特許請求の範囲】
　【請求項１】　互いに並行して形成された複数の端子に仮圧着された異方性導電膜に貼着された離型紙を剥離する離型紙剥離装置において、上記異方性導電膜に沿って移動可能に設けられると共に上記離型紙に粘着される粘着テープを押圧して上記離型紙に粘着させる押圧ローラと、上記押圧ローラ
を上記粘着テープを上記離型紙側に加圧しつつ移動させその
を順次
　【請求項２】　互いに並行して形成された複数の端子に仮圧着された異方性導電膜に貼着された離型紙を剥離する離型紙剥離装置において、上記異方性導電膜に貼着された離型紙に粘着される粘着テープを所定長さ供給する工程と、供給された粘着テープを上記異方性導電膜に沿って移動する押圧ローラにより上記離型紙に粘着する工程と、上記押圧ローラ
を上記粘着テープを上記離型紙側に加圧しつつ移動させその
順次
【発明の詳細な説明】
　【０００１】
　【産業上の利用分野】
　この発明は、液晶基板の端子部に実装されるＴＡＢ部品に仮圧着された異方性導電膜の離型紙を剥離する離型紙剥離装置及び離型紙剥離方法に関する。
　【０００２】
　【従来の技術】
　液晶テレビの実装技術は大きく分けて、ＩＣ実装技術とパネル実装技術の２つの柱から成り立っている。ＩＣ実装とはＴＡＢ（Ｔａｐｅ　Ａｕｔｏｍａｔｅｄ　Ｂｏｎｄｉｎｇ）技術を用いてフィルムキャリアテープに液晶を駆動するドライバＩＣを実装し、ＴＡＢ部品を作成することをいう。パネル実装とは上記ドライバＩＣからの出力信号を液晶パネルに入力するために上記ＴＡＢ部品の端子と液晶パネルの縁部に配列された端子とを接続することをいう。
　【０００３】
　上記ＴＡＢ部品と液晶パネルとの接続は一般に異方性導電膜（ＡＣＦ）を用いている。異方性導電膜材料は微細な導電粒子を均一に分散させたフィルム状の接着剤である。これを対向配置された液晶パネルの電極端子とキャリアテープの端子の間に挟んでこれらをボンディングする。
　【０００４】
　上記キャリアテープには端子の有無により１８〜３５μｍほどの段差があるので、上記異方性導電膜のうち上記キャリアテープとパネルの端子とに押し潰された部分は複数の導電粒子が互いに密着して電気的に接合される。それ以外の部分は複数の導電粒子が互いに接触するということがないので電気的に絶縁状態となる。このことによって対向する上記キャリアテープの端子とドライバＩＣの端子だけが電気的に接合されるのである。
　【０００５】
　上記異方性導電膜は塵挨等の付着を防止するために接着面（両面）に離型紙が張り付けられている。すなわち上記離型紙を剥離して上記対向する端子間に位置決めした後にボンディングを行わなければならない。
　【０００６】
　一般には図５、図６に示すように上記異方性導電膜１の下側面の離型紙のみを剥離して、異方性導電膜１の下側面をＴＡＢ部品２の端子３…に仮圧着する。そしてこの異方性導電膜１の上側面の離型紙４を剥がした後に、上記異方性導電膜の端子３と液晶パネルの端子を対向位置決めしてこれらを圧着する。このような場合、一つのＴＡＢ部品２ごとに上記離型紙４を剥離しなければならないが、従来は作業者が一つずつピンセット等で剥離していた。
　【０００７】
　しかし、近年液晶テレビの高画素化がすすみ、それに対応してドライバＩＣの出力ピン数（パッド数）は２００を越えている。パッドピッチは最小１１０μｍほどにもなっている。すなわち最近のドライバＩＣは多ピン、細密ピッチ化している。このため、上記のような細密ピッチかつ多数の端子を接続する作業もますます精密化し、異方性導電膜の取扱いにもよりシビアな条件が課せられている。
　【０００８】
　作業者が手作業で行えば塵挨などが付着する恐れがある。また、上記離型紙４を剥離する時、人手によるとＴＡＢ部品２に無理な力がかかり端子３…を破損させてしまうことも考えられる。これらはすべて、製品の接続不良の原因となるため排除しなければならない。また、人手で行うことは時間がかかるために作業効率も悪いということもある。
　【０００９】
　【発明が解決しようとする課題】
　従来は、ＴＡＢ部品に仮圧着された異方性導電膜の離型紙の剥離は人手で行っていたために、作業効率が悪いばかりか異方性導電膜に塵挨等が付着し製品が接続不良を起こす恐れがあった。
　この発明は、上記離型紙の剥離を自動で行えるようにした異方性導電膜の離型紙剥離装置を提供することを目的とするものである。
　【００１０】
　【課題を解決するための手段】
　この発明は、第１に、互いに並行して形成された複数の端子に仮圧着された異方性導電膜に貼着された離型紙を剥離する離型紙剥離装置において、上記異方性導電膜に沿って移動可能に設けられると共に上記離型紙に粘着される粘着テープを押圧して上記離型紙に粘着させる押圧ローラと、上記押圧ローラ
を上記粘着テープを上記離型紙側に加圧しつつ移動させその
を順次
を上記粘着テープを上記離型紙側に加圧しつつ移動させその
順次
　【００１１】
　【作用】
　このような構成によれば、粘着テープを異方性導電膜の離型紙に粘着させ、この粘着テープを上記異方性導電膜から離間させることによって離型紙を異方性導電膜から剥離することができる。
　【００１２】
　【実施例】
　以下、この発明の一実施例を図１〜図３を参照して説明する。
　【００１３】
　図１中１０は保持体である。この保持体１０は図示しない実装装置等に取り付けられている。上記保持体１０の下端部にはＴＡＢ部品２が載置される載置テーブル１１が配置されている。この載置テーブル１１は、載置面１１ａを上記保持体１０の前面と直角にして水平に配置されていると共に、上記載置面１１ａには図示しない真空吸着機構が設けられている。この真空吸着機構により、上記載置面１１ａ上に異方性導電膜１が仮圧着されたＴＡＢ部品２（図５を引用して示す）の下面を吸着保持することができる。
　【００１４】
　また、同図中１２は粘着テープである。この粘着テープ１２は片面（下面）のみが粘着面１２ａとなっている。この粘着テープ１２は上記離型紙４に粘着可能であると共に、その粘着力は少なくとも上記異方性導電膜１と離型紙４の接合力よりも大きくなっている。
　【００１５】
　上記保持体１０の幅方向一端部の上部には、上記粘着テープ１２を送り出す第１のリール１３が回転自在に設けられている。この第１のリール１３には所定量の粘着テープ１２が巻装されている。
　【００１６】
　この第１のリール１３から送り出された粘着テープ１２は、後述する粘着テープ案内機構１７により粘着面１２ａが上記ＴＡＢ部品２に設けられた異方性導電膜１の離型紙４に対向するように走行させられた後、上記保持体１０の幅方向他端部の上部に設けられた出力軸１５に固定された第２のリール１４によって順次巻き取られる。上記粘着テープ案内機構１７は、上下方向に移動する第１の移動体１８と水平方向に移動する第２の移動体１９より構成されている。
　【００１７】
　上記第１の移動体１８は矩形板状に形成され、上記保持体１０に高さ方向に沿って平行に離間して設けられた一対の第１、第２のガイドレール２０、２１にスライド自在に取り付けられている。この第１の移動体１８は図示しない駆動手段によって上記第１、第２のガイドレール２０、２１に沿って上下方向にスライド位置決めされるようになっている。
　【００１８】
　上記第２の移動体１９は、上記第１の移動体１８の長手方向に沿って平行に離間して設けられた一対の第３、第４のガイドレール２２、２３にスライド自在に取り付けられている。上記第２の移動体１９は図示しない駆動手段に連結され上記第３、第４のガイドレール２２、２３に沿って上記第１の移動体１８の長手方向の一端部１８ａから他端部１８ｂの間で往復駆動されるようになっている。上記第２の移動体１９は上記第１の移動体１８よりも小さい矩形板状に形成され、その高さ方向の下端は上記第１の移動体１８の高さ方向の下端と同じ高さに配置されている。
　【００１９】
　上記第１の移動体１８の一端部１８ａの上端には第１のアイドラー２５が回転自在に設けられている。この第１のアイドラー２５は下端の高さが上記第１のリール１３の下端の高さより常に低くなるように配置されている。
　【００２０】
　また、上記第２の移動体１９の上端部の上記第１のアイドラー２５側の部位には第２のアイドラー２６が回転自在に設けられている。この第２のアイドラー２６は上端の高さが上記第１のアイドラー２５の下端の高さと略同じになるように配置されている。
　【００２１】
　さらに、上記第２の移動体１９には押圧ローラ２８が回転自在に設けられている。この押圧ローラ２８の下端部は上記第１、第２の移動体１８、１９の下端から下方へ突出している。
　【００２２】
　また、上記第１の移動体１８の他端部１８ｂの下端には第３のアイドラー２９が回転自在に設けられている。この第３のアイドラー２９の下端部は上記第１の移動体１８の下端から突出していると共に、この第３のアイドラー２９の下端および上記押圧ローラ２８の下端は同じ高さに配置されている。
　【００２３】
　上記第１のリール１３から延出された粘着テープ１２は上記第１のアイドラー２５の下方に通されたのち、第２のアイドラー２６の上方に通される。上記第２のアイドラー２６の外周面の上端から延出された粘着テープ１２は約９０度下方に向きを変換されて上記押圧ローラ２８の下方に通される。この押圧ローラ２８の外周面の下端から延出された粘着テープ１２は上記第３のアイドラー２９の下方に通される。そして、上記第３のアイドラー２９の外周面の下端から延出された粘着テープ１２は上記第２のリール１４に巻き取られるようになっている。
　このとき上記第１、第２のアイドラー２５、２６の間の粘着テープ１２は略水平となり、第１の水平部３０を形成する。また、上記押圧ローラ２８の外周面の下端と第３のアイドラー２９の外周面の下端は同じ高さであるから、上記押圧ローラ２８と第３のアイドラー２９の間において上記粘着テープ１２は水平となり、第２の水平部３１を形成する。
　【００２４】
　そして、上記第２の移動体１９が上記第１の移動体１８の一端側１８ａに位置決めされている場合において（図１に示す状態）、上記粘着テープ１２の第２の水平部３１はその粘着面１２ａを下方に向けて上記載置テーブル１１の載置面１１ａに載置されたＴＡＢ部品２の異方性導電膜１の上側面に設けられた離型紙４と平行に離間した状態で対向するようになっている。
　次に、この装置を用いてＴＡＢ部品２に仮圧着された異方性導電膜１の離型紙４を剥離する動作を説明する。
　【００２５】
　まず、第２のリール１４が上記出力軸１５によって所定量だけ回転駆動される。このことによって新しい粘着テープ１２が上記押圧ローラ２８と第３のアイドラー２９の間の第２の水平部３１に供給される。
　【００２６】
　次に図示しないＴＡＢ部品供給手段により上記載置テーブル１１の載置面１１ａにＴＡＢ部品２が供給される。上記ＴＡＢ部品２は離型紙４の上面が上記粘着テープ１２の水平部３１に対向するように載置され、図示しない真空吸着機構により吸着位置決めされる。このとき、図１に示すように、上記第１の移動体１８は上記保持体１０の上端側に位置すると共に、第２の移動体１９は上記第１の移動体１８の一端側１８ａに位置している。
　【００２７】
　上記ＴＡＢ部品２が上記テーブル１１の載置面１１ａに位置決め載置されたならば、上記第１の移動体１８は図示しない駆動手段によって上記第１、第２のガイドレール２０、２１に沿って下降駆動される。上記粘着テープ１２の第２の水平部３１が上記異方性導電膜１の離型紙４に接触したならば第１の移動体１８は停止する。
　【００２８】
　そして、この状態で上記第１のリール１３および第２のリール１４はロックされ、粘着テープ１２が第１のリール１３から繰り出されないよう固定される。ついで、上記第２の移動体１９は上記第３、第４のガイドレール２２、２３に沿って上記第１の移動体１８の他端側１８ｂに向かって駆動される。
　【００２９】
　すると、図２に示すように上記押圧ローラ２８は上記粘着テープ１２を上記離型紙４に粘着する方向に加圧しつつ、上記第３のアイドラー２９の方向へ回転移動する。上記押圧ローラ２８の移動に伴って上記粘着テープ１２の第２の水平部３１の長さは短くなると共に、押圧ローラ２８の移動方向の後ろ側の粘着テープ１２は第２のアイドラー２６によって上方へ持ち上げられて上記第１の水平部３０を形成する。
　【００３０】
　上記粘着テープ１２と離型紙４の接合力は異方性導電膜１と離型紙４の接合力よりも大きいから、上記離型紙４は上記異方性導電膜１から粘着テープ１２に転写され、この粘着テープ１２と共に上記異方性導電膜１から剥離方向に離間させられる。このことによって上記離型紙４は異方性導電膜１から剥離する。
　【００３１】
　上記粘着テープ１２によって剥離された離型紙４は粘着テープ１２と共に、上記第２のアイドラー２６によって剥離方向に持ち上げられ、上記第１の水平部３０を形成する。
　【００３２】
　上記第２の移動体１９が上記第１の移動体１８の他端部１８ｂに到達し、上記異方性導電膜１から離型紙４が完全に剥離されたならば、上記第１の移動体１８は第１、第２のガイドレール２０、２１に沿って上方に駆動される。そして、上記押圧ローラ２８とＴＡＢ部品２が離間したならば、上記第１、第２のリール１３、１４のロック状態が解除され、上記第２のリール１４は再び図示しない回転駆動手段により回転駆動される。
　【００３３】
　このことによって、上記粘着テープ１２は図３に示すように上記第２のリール１４の方向に送り駆動され、上記粘着テープ１２に転写された離型紙４はその粘着テープ１２ごと上記第２のリール１４に巻き取られる。
　そして、離型紙４が剥離されたＴＡＢ部品２は、上記載置テーブル１１の載置面１１ａから取り出され、図示しないパネル実装工程に移送される。
　【００３４】
　以上のように、離型紙の剥離動作の一工程が終了すると、上記第２の移動体１９は再び上記第１の移動体１８の一端側にスライド駆動され、図１に示すような状態に復帰する。
　【００３５】
　ついで、上記押圧ローラ２８と第２のアイドラー２６の間の第２の水平部３１は再び新しい粘着テープ１２が供給されると共に、離型紙４が剥離されていないＴＡＢ部品２が再び上記載置テーブル１１に図示しない供給手段により供給される。そして、このＴＡＢ部品２の離型紙４の剥離動作が上述した動作と同様に行われる。
　【００３６】
　このような構成によれば、人手によらず自動的に異方性導電膜１から離型紙４を剥離することができる。このことによって異方性導電膜１に塵挨等が付着するのが防止されるので製品の接続不良が減少すると共に、剥離作業を連続的に行うことができるから生産効率が向上する。
　【００３７】
　また、上記押圧口ーラ２８により粘着テープ１２を離型紙４側に加圧しつつ移動させ、その移動方向の後方から上記離型紙４を順次異方性導電膜１から離間させている。このため、粘着テープ１２によりＴＡＢ部品２を不必要に上方に引っ張ることがないので、ＴＡＢ部品２を破損させることが少ない。
　【００３８】
　また、上記第１の水平部３０と第２の水平部３１の長さの和は常に一定で、かつ上記第２のアイドラー２６と押圧ローラ２８の間の粘着テープ１２の長さも常に一定であるから、上記第１のアイドラー２５と第３のアイドラー２９間の粘着テープ１２の全長は変化しない。
　【００３９】
　すなわち、上記粘着テープ１２は押圧ローラ２８の移動にともない伸び縮みすることがないので、上記粘着テープ１２が不要に引っ張られたり、たるんだりするということがない。このことによって粘着テープ１２が切れたり、ばたついたりするということがないから、この装置をスムーズに運転し離型紙４を確実に剥離することができる。
　なお、この発明は上記一実施例に限定されるものではなく、発明の要旨を変更しない範囲で種々変形可能である。
　【００４０】
　例えば、上記一実施例では、第２のアイドラー２６を設けたが、図４に示すように、上記第２の移動体１９には押圧ローラ２８のみを設けると共に、第３のアイドラー２９は第１の移動体１８の上端部に設けるようにしても良い。
　【００４１】
　この装置を用いて異方性導電膜１の離型紙４を剥離する場合には、まず上記第１の移動体１８を下降駆動して押圧ローラ２８の外周面の下端と上記離型紙４の上面の高さが同じになるようにする。
　【００４２】
　そして、上記第１のリール１３、第２のリール１４をロックして上記第１のリール１３から粘着テープ１２が繰り出されないようにする。ついで、上記第２の移動体１９を上記第１の移動体１８の他端部１８ｂの方向へ駆動する。
　【００４３】
　すると上記押圧ローラ２８は上記粘着テープ１２を離型紙４に粘着させながら異方性導電膜１に沿って回転移動する。この押圧ローラ２８の回転移動にともない上記押圧ローラ２８の移動方向の後方の粘着テープ１２は第１のアイドラー２５によって上記異方性導電膜１から離間する方向に持ち上げられる。このことによって上記離型紙４を異方性導電膜１から剥離することができる。
　【００４４】
　【発明の効果】
　上述のようにこの発明の離型紙剥離装置及び方法は、互いに並行して形成された複数の端子に仮圧着された異方性導電膜に貼着された離型紙を剥離する離型紙剥離装置において、押圧ローラを上記異方性導電膜に沿って移動させ粘着テープを押圧して上記離型紙に粘着さると共に、上記押圧ローラの移動方向の後ろ側から上記離型紙に粘着された粘着テープを上記異方性導電膜と離間する方向に駆動することで上記離型紙を剥離するようにした。
　【００４５】
　このような構成によれば、離型紙を剥離する際に塵挨の付着が有効に防止できると共に、端子を破損するということもない。
【図面の簡単な説明】
　【図１】
　この発明の一実施例を示す概略構成図。
　【図２】
　同じく離型紙を剥離している動作を示す概略構成図。
　【図３】
　同じく離型紙を剥離した後の動作を示す概略構成図。
　【図４】
　この発明の他の実施例の概略構成図。
　【図５】
　異方性導電膜が仮圧着されたＴＡＢ部品の斜視図。
　【図６】
　図４におけるＴＡＢ部品のＶＩ−ＶＩ線に沿う断面図である。
　【符号の説明】
　１…異方性導電膜、２…ＴＡＢ部品、４…離型紙、１２…粘着テープ、１３…第１のリール、１４…第２のリール、１８…第１の移動体、１９…第２の移動体、２５…第１のアイドラー、２６…第２のアイドラー、２８…押圧ローラ、２９…第３のアイドラー。